【手続補正書】
【提出日】平成27年12月16日(2015.12.16)
【手続補正１】
【補正対象書類名】特許請求の範囲
【補正対象項目名】全文
【補正方法】変更
【補正の内容】
【特許請求の範囲】
【請求項１】
マルチインスタンス電力線通信のための方法であって、
マルチインスタンス電力線通信（ＰＬＣ）デバイスにおいて、複数の仮想ＰＬＣデバイスを実行することと、ここにおいて、各仮想ＰＬＣデバイスは、同じ電力線媒体を介して、異なる対応する通信ネットワークと通信する、
前記複数の仮想ＰＬＣデバイスのうちの第１の仮想ＰＬＣデバイスを使用して、第１の通信ネットワークに関するディスカバリメッセージをブロードキャストすることと、
前記ディスカバリメッセージに応答して前記第１の通信ネットワーク内の１つまたは複数のネットワークデバイスから少なくとも１つの応答メッセージを受信することと、
前記少なくとも１つの応答メッセージを受信することに少なくとも部分的に基づいて、前記第１の通信ネットワークに、および前記第１の仮想ＰＬＣデバイスに、前記１つまたは複数のネットワークデバイスの各々を関連付けることと
を備える、方法。
【請求項２】
前記少なくとも１つの応答メッセージは、対応するネットワークデバイスに関連するデバイス識別子と、前記第１の通信ネットワークに関連するネットワーク識別子とを含む、請求項１に記載の方法。
【請求項３】
前記１つまたは複数のネットワークデバイスの各々を対応する通信ネットワークにマッピングする第１のマッピングテーブルを作成することと、
各通信ネットワークを対応する仮想ＰＬＣデバイスにマッピングする第２のマッピングテーブルを作成することと
をさらに備える、請求項１に記載の方法。
【請求項４】
前記第１の通信ネットワークに、および前記第１の仮想ＰＬＣデバイスに、前記１つまたは複数のネットワークデバイスの各々を関連付けることは、
前記第１の通信ネットワークの前記１つまたは複数のネットワークデバイスに関連する識別情報を決定することと、ここにおいて、前記識別情報は、前記少なくとも１つの応答メッセージに少なくとも部分的に基づく、
前記マルチインスタンスＰＬＣデバイスにおいて、前記第１の通信ネットワークのネットワーク識別子に関連する前記識別情報を記憶すること
を含む、請求項１に記載の方法。
【請求項５】
前記マルチインスタンスＰＬＣデバイスにおいて、前記複数の仮想ＰＬＣデバイスのうちの対応する１つに関連する複数の通信ネットワークの各々のネットワーク識別子を記憶すること
をさらに備える、請求項１に記載の方法。
【請求項６】
前記ディスカバリメッセージは、前記第１の通信ネットワークに関連するネットワーク識別子を含む、請求項１に記載の方法。
【請求項７】
前記第１の通信ネットワークは、オーディオビデオ論理ネットワーク（ＡＶＬＮ）を含む、請求項１に記載の方法。
【請求項８】
前記１つまたは複数のネットワークデバイスの各々に関連する媒体アクセス制御（ＭＡＣ）アドレスを決定することをさらに備える、請求項１に記載の方法。
【請求項９】
前記第１の通信ネットワークの前記１つまたは複数のネットワークデバイスに関連する識別情報を決定すること、ここにおいて、前記識別情報は、前記少なくとも１つの応答メッセージに少なくとも部分的に基づき、前記識別情報は、前記１つまたは複数のネットワークデバイスのアドレスと、前記第１の通信ネットワークのネットワーク識別子とを含む、
をさらに備える、請求項１に記載の方法。
【請求項１０】
前記マルチインスタンスＰＬＣデバイスにおいて、ソースデバイスから第１のメッセージを受信することと、
対応する各通信ネットワークに、前記複数の仮想ＰＬＣデバイスの各々を介して前記第１のメッセージをブロードキャストすることと、
前記第１のメッセージに対する応答を宛先デバイスから受信することと、
前記第１のメッセージに対する前記応答に少なくとも部分的に基づいて、前記宛先デバイスに関連するネットワーク情報を用いて第１のマッピングテーブルを更新することと
をさらに含む、請求項１に記載の方法。
【請求項１１】
前記第１のメッセージは、アドレス解決プロトコル要求であり、前記第１のメッセージに対する前記応答は、アドレス解決プロトコル応答である、請求項１０に記載の方法。
【請求項１２】
前記少なくとも１つの応答メッセージが前記１つまたは複数のネットワークデバイスから受信されることなくタイムアウト期間が満了することに応答して、前記ディスカバリメッセージを再ブロードキャストすること
をさらに備える、請求項１に記載の方法。
【請求項１３】
前記第１の仮想ＰＬＣデバイスによって送信するために電力線データフレームを構築すること、ここにおいて、前記電力線データフレームは、前記第１の通信ネットワークに関連するネットワーク識別子を含む、
をさらに備える、請求項１２に記載の方法。
【請求項１４】
前記電力線データフレームは、ソース端末機器識別子（ＳＴＥＩ）、宛先端末機器識別子（ＤＴＥＩ）、およびショートネットワーク識別情報（ＳＮＩＤ）を含む、請求項１３に記載の方法。
【請求項１５】
各仮想ＰＬＣデバイスは、前記複数の仮想ＰＬＣデバイスが前記同じマルチインスタンスＰＬＣデバイス上で実行されたとしても、前記電力線媒体においてユニークなＰＬＣデバイスとして表される、請求項１に記載の方法。
【請求項１６】
前記複数の仮想ＰＬＣデバイスは、少なくとも前記第１の仮想ＰＬＣデバイスと第２の仮想ＰＬＣデバイスとを含み、
前記第１の仮想ＰＬＣデバイスは、第１のネットワークメンバシップキー（ＮＭＫ）を使用して前記第１の通信ネットワークと通信し、
前記第２の仮想ＰＬＣデバイスは、第２のＮＭＫを使用して第２の通信ネットワークと通信する、
請求項１に記載の方法。
【請求項１７】
マルチインスタンス電力線通信（ＰＬＣ）デバイスであって、
プロセッサと、
前記プロセッサによって実行されたときに、前記マルチインスタンスＰＬＣデバイスに、
複数の仮想ＰＬＣデバイスを実行することと、ここにおいて、各仮想ＰＬＣデバイスは、同じ電力線媒体を介して、異なる対応する通信ネットワークと通信する、
前記複数の仮想ＰＬＣデバイスの仮想ＰＬＣデバイスを使用して、第１の通信ネットワークに関するディスカバリメッセージをブロードキャストすることと、
前記ディスカバリメッセージに応答して前記第１の通信ネットワーク内の１つまたは複数のネットワークデバイスから少なくとも１つの応答メッセージを受信することと、
前記少なくとも１つの応答メッセージを受信することに少なくとも部分的に基づいて、前記第１の通信ネットワークに、および前記仮想ＰＬＣデバイスに、前記１つまたは複数のネットワークデバイスの各々を関連付けることと
を実行させる命令を記憶したメモリと、
を備える、マルチインスタンスＰＬＣデバイス。
【請求項１８】
前記少なくとも１つの応答メッセージは、対応するネットワークデバイスに関連するデバイス識別子と、前記第１の通信ネットワークに関連するネットワーク識別子とを含む、請求項１７に記載のマルチインスタンスＰＬＣデバイス。
【請求項１９】
前記命令は、前記プロセッサによって実行されたときに、前記マルチインスタンスＰＬＣデバイスに、
各ネットワークデバイスを対応する通信ネットワークにマッピングする第１のマッピングテーブルを作成することと、
各通信ネットワークを対応する仮想ＰＬＣデバイスにマッピングする第２のマッピングテーブルを作成することと、
を実行させる、請求項１７に記載のマルチインスタンスＰＬＣデバイス。
【請求項２０】
前記命令は、前記プロセッサによって実行されたときに、前記マルチインスタンスＰＬＣデバイスに
前記第１の通信ネットワークの前記１つまたは複数のネットワークデバイスに関連する識別情報を決定することと、ここにおいて、前記識別情報は、前記少なくとも１つの応答メッセージに少なくとも部分的に基づく、
前記第１の通信ネットワークのネットワーク識別子に関連する前記識別情報を記憶すること
を実行させる、請求項１９に記載のマルチインスタンスＰＬＣデバイス。
【請求項２１】
前記命令は、前記プロセッサによって実行されたときに、前記マルチインスタンスＰＬＣデバイスに、
複数の通信ネットワークの各々のネットワーク識別子を前記複数の仮想ＰＬＣデバイスのうちの対応する１つとともに記憶すること
を実行させる、請求項１７に記載のマルチインスタンスＰＬＣデバイス。
【請求項２２】
前記命令は、前記プロセッサによって実行されたときに、前記マルチインスタンスＰＬＣデバイスに、前記１つまたは複数のネットワークデバイスの各々に関連する媒体アクセス制御（ＭＡＣ）アドレスを決定することを実行させる、請求項１７に記載のマルチインスタンスＰＬＣデバイス。
【請求項２３】
前記命令は、前記プロセッサによって実行されたときに、前記マルチインスタンスＰＬＣデバイスに、前記第１の通信ネットワークの前記１つまたは複数のネットワークデバイスに関連する識別情報を決定することを実行させ、前記識別情報は、前記少なくとも１つの応答メッセージに少なくとも部分的に基づき、前記識別情報は、前記１つまたは複数のネットワークデバイスのアドレスと、前記第１の通信ネットワークのネットワーク識別子とを含む、請求項１７に記載のマルチインスタンスＰＬＣデバイス。
【請求項２４】
前記命令は、前記プロセッサによって実行されたときに、前記マルチインスタンスＰＬＣデバイスに、
ソースデバイスから第１のメッセージを受信することと、
対応する各通信ネットワークに、前記複数の仮想ＰＬＣデバイスを介して前記第１のメッセージをブロードキャストすることと、
前記第１のメッセージに対する応答を宛先デバイスから受信することと、
前記第１のメッセージに対する前記応答に少なくとも部分的に基づいて、前記宛先デバイスに関連するネットワーク情報を用いて第１のマッピングテーブルを更新することと、
を実行させる、請求項１７に記載のマルチインスタンスＰＬＣデバイス。
【請求項２５】
前記第１のメッセージは、アドレス解決プロトコル要求であり、前記第１のメッセージに対する前記応答は、アドレス解決プロトコル応答である、請求項２４に記載のマルチインスタンスＰＬＣデバイス。
【請求項２６】
前記命令は、前記プロセッサによって実行されたときに、前記マルチインスタンスＰＬＣデバイスに、前記少なくとも１つの応答メッセージが前記１つまたは複数のネットワークデバイスから受信されることなくタイムアウト期間が満了することに応答して、前記ディスカバリメッセージを再ブロードキャストすることを実行させる、請求項１７に記載のマルチインスタンスＰＬＣデバイス。
【請求項２７】
前記命令は、前記プロセッサによって実行されたときに、前記マルチインスタンスＰＬＣデバイスに前記仮想ＰＬＣデバイスによって送信するために電力線データフレームを構築することを実行させ、前記電力線データフレームは、前記第１の通信ネットワークに関連するネットワーク識別子を含む、請求項１７に記載のマルチインスタンスＰＬＣデバイス。
【請求項２８】
前記電力線データフレームは、ソース端末機器識別子（ＳＴＥＩ）、宛先端末機器識別子（ＤＴＥＩ）、およびショートネットワーク識別情報（ＳＮＩＤ）を含む、請求項２７に記載のマルチインスタンスＰＬＣデバイス。
【請求項２９】
プロセッサによって実行されたときに、前記プロセッサに、
マルチインスタンス電力線通信（ＰＬＣ）デバイスにおいて、複数の仮想ＰＬＣデバイスを実行することと、ここにおいて、各仮想ＰＬＣデバイスは、同じ電力線媒体を介して、異なる対応する通信ネットワークと通信する、
前記複数の仮想ＰＬＣデバイスのうちのある仮想ＰＬＣデバイスを使用して、第１の通信ネットワークに関するディスカバリメッセージをブロードキャストすることと、
前記ディスカバリメッセージに応答して前記第１の通信ネットワーク内の１つまたは複数のネットワークデバイスから少なくとも１つの応答メッセージを受信することと、
前記少なくとも１つの応答メッセージを受信することに少なくとも部分的に基づいて、前記第１の通信ネットワークに、および前記仮想ＰＬＣデバイスに、前記１つまたは複数のネットワークデバイスの各々を関連付けることと
を含む動作を実行させる命令を記憶した、非一時的機械可読媒体。
【請求項３０】
前記動作は、さらに、
各ネットワークデバイスを対応する通信ネットワークにマッピングする第１のマッピングテーブルを作成することと、
各通信ネットワークを対応する仮想ＰＬＣデバイスにマッピングする第２のマッピングテーブルを作成することと
を含む、請求項２９に記載の非一時的機械可読媒体。
【請求項３１】
前記１つまたは複数のネットワークデバイスを関連付ける前記動作は、
前記第１の通信ネットワークの前記１つまたは複数のネットワークデバイスに関連する識別情報を決定することと、ここにおいて、前記識別情報は、前記少なくとも１つの応答メッセージに少なくとも部分的に基づく、
前記マルチインスタンスＰＬＣデバイスにおいて、前記第１の通信ネットワークのネットワーク識別子に関連する前記識別情報を記憶すること
を含む、請求項２９に記載の非一時的機械可読媒体。
【請求項３２】
前記１つまたは複数のネットワークデバイスを関連付ける前記動作は、
前記マルチインスタンスＰＬＣデバイスにおいて、複数の仮想ＰＬＣデバイスのうちの対応する１つに関連する複数の通信ネットワークの各々のネットワーク識別子を記憶すること
を含む、請求項２９に記載の非一時的機械可読媒体。
【請求項３３】
前記動作は、さらに、
前記少なくとも１つの応答メッセージが前記１つまたは複数のネットワークデバイスから受信されることなくタイムアウト期間が満了することに応答して、前記ディスカバリメッセージを再ブロードキャストすることを含む、請求項２９に記載の非一時的機械可読媒体。
【請求項３４】
前記動作は、さらに、
前記仮想ＰＬＣデバイスによって送信するために電力線データフレームを構築すること、ここにおいて、前記電力線データフレームは、前記第１の通信ネットワークに関連付けられたネットワーク識別子を含む、
を含む、請求項２９に記載の非一時的機械可読媒体。
【請求項３５】
前記電力線データフレームは、ソース端末機器識別子（ＳＴＥＩ）、宛先端末機器識別子（ＤＴＥＩ）、およびショートネットワーク識別情報（ＳＮＩＤ）を含む、請求項３４に記載の非一時的機械可読媒体。